(57)【要約】【課題】外的衝撃により粒状部材を充填した袋体（外袋、内袋を含む）が破れることで、また、袋体が破損しなくても粒状部材の偏在や粒状部材の袋体（内袋）からの飛散によって、物品の緩衝保護と梱包という目的を果たさなくなる可能性がある点、さらには密封する場合には別途箱や袋が必要となる点を解消する。【解決手段】本発明の梱包袋１は、内部と外部とを非通気状とする外袋２Ａと、この外袋２Ａの内部に設けられ、脱気孔２ｂが形成された内袋２Ｂと、外袋２Ａと内袋２Ｂとの間に設けられた樹脂製のネット部材３と、からなる袋体２と、この袋体２の外袋２Ａと内袋２Ｂとで共通する一部に形成された物品の挿脱開口１Ａと、この挿脱開口１Ａに設けたシール部材１Ｂと、外袋２Ａの一部に設けられ、内部への空気の流入を阻止して外部への空気の流出を許容する逆止弁４と、により構成されている。【選択図】図１
2016097993.tif 000002
【特許請求の範囲】
【請求項１】
物品を梱包する梱包袋であって、内部と外部とを非通気状とする外袋と、この外袋の内部に設けられ、該外袋外から内部の脱気を妨げることのない通気性を有した、あるいは通気可能な構造とされた、内袋と、前記外袋と内袋との間に設けられた樹脂製のネット部材と、からなる袋体と、この袋体の前記外袋と前記内袋とで共通する一部に形成された物品の挿脱開口と、この挿脱開口に設けたシール部材と、前記外袋の一部に設けられ、内部への空気の流入を阻止して外部への空気の流出を許容する逆止弁と、により構成されたことを特徴とする梱包袋。
【発明の詳細な説明】
【技術分野】
【０００１】
本発明は、梱包する物品を外的衝撃から確実に保護でき、また、内部で物品が移動しないように固定できると共に状態を維持することができる梱包袋に関する。
【背景技術】
【０００２】
物品の梱包に用いられる梱包材料としては、以前は梱包用箱内における梱包する物品の外形に合わせて形成された発砲スチロールなどが広く普及していたが、昨今では廃棄上の問題により、例えば袋体に空気を封入したものや、材料として発砲スチロールに代えてパルプ材を採用したもの、あるいは例えば特許文献１〜３に提案されるものがある。
【０００３】
特許文献１の梱包用マットは、定型、不定型によらず、２以上の物品が互いに繋がったままで梱包する梱包材料を提供することを目的として、外層シートと内層シートと通気性を有する袋とビーズとを備え、外層シートと内層シートとの間の通気性を有する袋がいくつかに区画され、この区画内に「粒状の」合成樹脂発泡体でなるビーズを充填した構成とされている。
【０００４】
特許文献２の梱包用マットは、緩衝材となるビーズが偏在して、物品を定位置に安定保持させることができないと共にビーズによる緩衝効果を得られない点を解決するために、非通気性の外袋、通気性を有する内袋、内袋内に充填された緩衝体ビーズ、及び外袋内の吸気に関して逆止弁として作用するバルブを有し、平坦な面の各所に散在して緩衝体ビーズを閉じ込める区画を形成した構成とされている。なお、ビーズは「粒状形」である。
【０００５】
特許文献３の緩衝部材は、大きさや形状の異なる物品をその物品に合うように折り曲げなどにより形状を変化させて単一で対応させると共に、運搬や保管時に平板状としておくことができるよう、脱気した袋状の可撓性シート内に弾性軽量「粒」子、又は、弾性軽量「粒」子及び弾性軽量粒子同士を結びつけるバインダーを内蔵した構成とされている。
【０００６】
特許文献１〜３に示される梱包用マット、袋体に充填される緩衝部材は、袋体に空気を封入したもの、あるいはパルプ材を採用したもの、に較べるとコスト高となるものの、物品の形状に合わせて繰り返し使用可能なことから、例えば運搬業者が採用するとすれば使い勝手がよいが、構造上で次の問題があった。
【０００７】
特許文献１〜３は緩衝部材として粒状部材を袋体に充填する点で共通するが、特許文献３は、粒状部材が区画された袋体内に充填されていないので偏在する可能性がある。すなわち、物品の形状に応じて形状を変える際、物品に当接する部位には粒状部材が減少し、当接しない部位には粒状部材が増加するといった具合に本来として緩衝すべき物品と当接した部位（特に物品の角部等）において粒状部材が存在しないまたは減少しているため、外的衝撃から物品を保護できない場合が生じる。
【０００８】
また、粒状部材を用いた特許文献１〜３のうち特許文献１，２は、区画された内袋を有して該内袋に粒状部材を充填しているので特許文献１に較べて粒状部材の偏在は抑制されるが、物品の形状に応じて変形するとはすなわち粒状部材が自由に移動することにより可能となるので、結果的に区画しているとはいえ内袋内に（粒状部材が移動できる程度の）空間が無ければならず、特許文献３と較べて程度の差があるとしてもやはり粒状部材の偏在は生じる。
【０００９】
さらに、特許文献１，２では、バルブにより外袋内を介して内袋内を脱気して該内袋粒状部材の移動を拘束して物品の形状に固定化するが、この脱気の際、内袋の通気孔径は粒状部材を充填しているため該粒状部材より小さくなければ、内袋から粒状部材が飛び出してしまい、内袋の通気孔を小さくすると脱気孔率が悪くなる。一方、特許文献１，２において、粒状部材の径を（内袋の通気孔径より）大きくすれば、程度にもよるが物品の形状に沿って全体が変形しなくなる。
【００１０】
また、特許文献１〜３の粒状部材に代えて、シート上に複数の少量の空気を充填した区画が形成されたいわゆるエアーパッキンを用いた場合は、このエアーパッキンのシート部位（空気を充填した区画以外の箇所）は、容易に折れ曲がりやすく、よって例えば袋体の辺縁部、隅（角）においては緩衝力を発揮しないといった問題がある。
【００１１】
エアーパッキンを裁断して使用する場合は、裁断部分が空気を充填した区画であれば、当然にこの区画から空気が喪失して、この場合も緩衝力を発揮しなくなり、取扱い、製造に手間を要するといった問題もある。
【００１２】
また、粒状部材を用いた特許文献１〜３は、（内袋、外袋）袋体が、破れたりすると該粒状部材が飛散することとなる。この点は、袋体に空気が充填されたものと同様の課題であるが、粒状部材が飛散する点で空気よりも影響が大きい。また、脱気するに際して、例えば脱気装置へ粒状部材が吸引されてしまう可能性もあり、特許文献１，２ではバルブにフィルターを設けるなどの措置を講じる必要がある。
【００１３】
さらに、以上の特許文献１〜３は、梱包材料であって、例えば内容物を密封したり、水の侵入を回避する必要があるなど、一般的に必要とされる梱包条件を満たそうとすると、別途ダンボール箱などの梱包容器に装入する必要があった。
【先行技術文献】
【特許文献】
【００１４】
【特許文献１】特許第５２７６３６３号公報
【特許文献２】特許第５４２４３９２号公報
【特許文献３】実用新案登録第３１８１４７４号公報
【発明の概要】
【発明が解決しようとする課題】
【００１５】
本発明が解決しようとする問題点は、従来の梱包材料は、外的衝撃により物品ではなく、粒状部材を充填した袋体（外袋、内袋を含む）が破れることで、また、袋体が破損しなくても粒状部材の偏在や粒状部材の袋体（内袋）からの飛散によって、物品の緩衝保護と梱包という目的を果たさなくなる可能性がある点、さらには密封する場合には別途箱や袋が必要となる点、である。
【課題を解決するための手段】
【００１６】
上記課題を解決するため、本発明は、物品を梱包する梱包袋であって、内部と外部とを非通気状とする外袋と、この外袋の内部に設けられ、該外袋外から内部の脱気を妨げることのない通気性を有した、あるいは通気可能な構造とされた、内袋と、前記外袋と内袋との間に設けられた樹脂製のネット部材と、からなる袋体と、この袋体の前記外袋と前記内袋とで共通する一部に形成された物品の挿脱開口と、この挿脱開口に設けたシール部材と、前記外袋の一部に設けられ、内部への空気の流入を阻止して外部への空気の流出を許容する逆止弁と、により構成されたことを主要な特徴とする。
【発明の効果】
【００１７】
上記構成の本発明は、外袋が破損すること自体は回避できないものの、仮に外袋が破損しても、粒状部材ではなく弾性を有する樹脂製の線材でなるネット部材を採用しているので、従来のように粒状部材が飛散して、緩衝保護の目的を果たさないという最悪の事態は回避することができる。
【００１８】
また、外袋が破損しても、ネット部材は、袋体（内袋）の内部、外袋の外部に飛散したり、袋体の内部で偏在することがないので、物品の外的衝撃の緩衝機能を大きく失うことが防止されるという利点もある。
【００１９】
さらに、本発明の梱包袋は、逆止弁を介して袋体内の空気を脱気することで、ネット部材を構成する弾性を有する樹脂製の線材径の縮小に伴った硬化と、袋体内での移動許容範囲が無くなり、物品を袋体内で固定できると共にネット部材自体の素材の弾性により、外的衝撃を緩衝できる。また、本発明の梱包袋は、逆止弁を開放して袋体内に空気を流入させることで、繰り返し利用することができるという利点もある。
【００２０】
さらには、本発明の梱包袋は、袋体内部に物品を装入してシール部材に挿脱開口を閉じて内部を密閉し、この密閉状態で逆止弁を介して内部を脱気するので、内部に水や粉塵が侵入することなく、良好に物品を保護することができる。
【図面の簡単な説明】
【００２１】
【図１】本発明の梱包袋を示し、（ａ）は斜視図、（ｂ）は部分分解斜視図である。
【図２】本発明の梱包袋の分解斜視図である。
【図３】（ａ）〜（ｃ）は本発明の梱包袋の製造工程を示す図である。
【図４】（ａ）〜（ｃ）は本発明の梱包袋による物品の梱包手順を示す図である。
【発明を実施するための形態】
【００２２】
本発明の梱包袋は、袋体（外袋、内袋を含む）が破れて粒状部材が該袋体外に飛散したり、粒状部材が偏在して物品の緩衝及び保護ができなくなる点、及び密封する場合には別途箱や袋が必要となる点を、内外で二重構造とした外袋と内袋との間に樹脂製の線材でなるネット部材を挿入した袋体に、外袋と内袋とで共通する一部に形成された物品の挿脱開口に設けたシール部材と、外袋の一部に設けられた内部への空気の流入を阻止して外部への空気の流出を許容する逆止弁とを設ける構成により解決した。
【００２３】
本発明の梱包袋は、袋体の挿脱開口を開いて物品を挿入し、シール部材によって一旦袋体の該挿脱開口を閉状態とした後、逆止弁より該袋体内の空気を脱気する。こうすることで、密閉状態は保たれたまま、ネット部材の線径が圧縮されるが、脱気によって該ネット部材が物品に密着して袋体内で物品を固定すると共に物品を囲み（覆い）、緩衝作用を呈することとなる。
【実施例】
【００２４】
以下、本発明の実施例を図１〜図４面を用いて説明する。１は物品を梱包する次の構成とされた本発明の梱包袋であり、次の構成の袋体２を有してなる。本発明の梱包袋１における袋体２は、本例では図示するような平面視矩形状で説明するがこれに限定されない。
【００２５】
袋体２は、内部と外部とを非通気状とする外袋２Ａと、この外袋２Ａの内部に設けられた通気状の内袋２Ｂと、外袋２と内袋３との間に設けられた樹脂製のネット部材３により構成される。
【００２６】
さらに、本発明の梱包袋１は、袋体２の外袋２Ａと内袋２Ｂとで共通する一部に形成された物品の挿脱開口１Ａと、この挿脱開口１Ａに設けたシール部材１Ｂと、外袋２Ａの一部に設けた孔２ａに対して設けられ、内部への空気の流入を阻止して外部への空気の流出を許容する逆止弁４とを備えている。
【００２７】
袋体２について詳述する。外袋２Ａと内袋２Ｂの材料は、物品の保存期間、輸送期間、物品の形状や外観及び素材、さらに、コストや廃棄時の環境問題、を総合的に勘案して採用するため限定しないが、外袋２Ａは非通気性で密閉可能であること、一方、内袋２Ｂは通気性を有すること、を各々満した材料とする必要がある。
【００２８】
この観点からは、例えば外袋２Ａ及び内袋２Ｂは、同じ非通気性の材料を採用する場合、図示のように内袋２Ｂについては、例えば微小な物品が嵌ることのない極小径の脱気孔２ｂを無数に形成して、内袋２Ｂについては外袋２Ａ外から内部の脱気を妨げることのない通気性を有した状態とする（図示では把握容易なように大きく描いている）。
【００２９】
また、内袋２Ｂは、非通気性の材料を採用する場合、内袋２Ｂは図１（ａ）などに示す完成状態で後述貼着部Ｐ１により外袋２Ａの外周縁と貼り合わせて袋状となっているが、例えば、貼着部Ｐ１を外袋２Ａと内袋２Ｂの挿脱開口１Ａ形成部位のみを貼り合せることとし、外袋２Ａの外袋外から内部の脱気を妨げることのない構造の場合とすれば、内袋２Ｂについて脱気孔２ｂを形成する必要がない。
【００３０】
そして、外袋２Ａと内袋２Ｂは、特別な用途ではない限り、汎用材料である例えばＰＥＴ・ポリエチレンラミネート品、ナイロン・ポリエチレンラミネート品、ポリエチレン、ポリプロピレンなどを用いればコストを下げることができ、コストが上がるが、ウレタン、特殊樹脂材料や混合材料、特殊処理を施した材料を採用すれば特別な用途に応じた適切なものとすることができる。
【００３１】
例えば、外袋２Ａと内袋２Ｂは、剛性を勘案した材料を採用することで、例えば物品を梱包した状態のまま、座屈変形することを抑制でき、別途の容器を要することなく、かつ、衝撃緩衝機能を損なうことなく梱包・搬送することができる。
【００３２】
また、外袋２Ａと内袋２Ｂとで別材料を採用することもできる。例えば、内袋２Ｂは柔軟かつ物品に対して滑りにくい材料を、外袋２Ａは座屈変形し難い比較的剛性の高い材料をそれぞれ選択することで、外袋２Ａにおいては梱包荷姿の維持が、内袋２Ｂにおいては脱気した状態の物品の位置の維持が、それぞれ可能となる。
【００３３】
次にネット部材３について詳述する。ネット部材３は、外袋２Ａ（の内面）と内袋２Ｂ（の外面）との間に設けられている。このネット部材３は、本例では、図示するように線材３Ａ同士を、互い違いに複数配置した線材３Ａ群を交差させて交点を接合したものが採用される。
【００３４】
また、ネット部材３は、線材３Ａ同士を織ったもの、あるいは、シートに孔を複数形成（この場合孔を形成する周りが線材３Ａとなる）して、網目を形成したものを採用してもよい。このネット部材３を構成する線材３Ａは、線径５〜１０ｍｍ程度とされ、発砲倍率が３０〜５０倍でかつ独立発砲（気泡が個々に独立している）の材料が選択される。
【００３５】
線材３Ａは、例えばポレオフィン系のポリエチレン、あるいはポリオレフィン系のポリプロピレンを用いる。これら素材は、袋体２内を脱気したとき、線材３Ａ自体の径が縮小しても表面の柔軟性を損なわず、物品を外的衝撃から十分に保護できるからである。
【００３６】
また、線材３Ａは、５ｍｍより径が細いと袋体２の脱気時に十分な衝撃緩和効果が得られず、１０ｍｍより径が太いと物品の梱包に際して物品の細かい形状に追従して変形しにくく、さらに、発砲倍率が３０倍より低いと、上記同様に袋体２の脱気時に変化袋体２の脱気時に十分な衝撃緩和効果が得られず、５０倍より高いと物品の梱包に際して物品の細かい形状に追従して変形しにくくなる。
【００３７】
また、線材３Ａによって構成されるネット部材３は、上記のとおり、平織り（目開き形状が四角）、垂直・水平の交差（目開き形状が四角）、方向を互い違いとした平行に配置した線材３Ａの交差（目開き形状が菱形）、あるいはシート状とされた線材３Ａの素材を型抜きする、などにより網目を形成する。
【００３８】
さらに、ネット部材３は、１１２〜４４メッシュのものを採用することが望ましい。４４メッシュより小さいと目開きが大きくなり目開きから物品がはみ出してネット部材３により保護されない可能性があり、１１２メッシュより大きいと目開きが小さくなって物品の緩衝効果が乏しくなる可能性がある。
【００３９】
また、ネット部材３は、袋体２の外袋２Ａと内袋２Ｂの間の内側寸法より若干小さい大きさ（面積）とされ、脱気した際に、例えば中央に偏在してしまって物品を囲む有効面積が減少するといった不具合が生じないようにしている。
【００４０】
さらに、本発明の梱包袋１は、挿脱開口１Ａには、該挿脱開口１Ａを開閉するためのシール部材１Ｂが設けられている。梱包袋１は、シール部材１Ｂを、閉状態とすることで内部と外部とを完全に遮断することができ、開状態とすることで内部に対して物品を挿脱することができる。
【００４１】
また、本発明の梱包袋１は、外袋２Ａのみの一部に孔２ａが形成され、この孔２ａに対して、内部への空気の流入を阻止して外部への空気の流出を許容する逆止弁４が設けられている。
【００４２】
逆止弁４は、袋体２内の負圧により閉状態となり、該袋体２内への空気の流入を阻止して脱気のみを許容し、開状態とすることで袋体２内への空気の流入を許容するものであれば限定しないが、構成は次のようなものが望ましい。
【００４３】
すなわち、逆止弁４は、上述のとおり、外袋２Ａの１箇所に形成した孔２ａの内側と外側から、不図示の内側部材と外側本体（これが図示する逆止弁４）とにより、該孔２ａの周囲を挟み込んで（嵌合して）設ける構成とすれば、袋体２と逆止弁４との取り付け作業が容易となる。
【００４４】
このように、本発明において採用する逆止弁４は、熱圧着や接着剤によって外袋２Ａに取り付けるものではなく、外袋２Ａに形成した孔１ａの内側と外側とにそれぞれ設けた部材で該孔１ａの周囲に嵌合するので、袋体２の材料の選択の幅を広げることができる。
【００４５】
ここで、本発明の梱包袋１の製造方法の一例について図３を用いて説明する。製造手順は様々であるが、以下のように製造することで容易かつ効率よく製造でき、若干ではあるがコストダウンに寄与できる。
【００４６】
図３（ａ）に示す手順を説明する。例えば梱包袋１は、矩形長尺状の外袋２Ａと、外袋２Ａより長さ及び幅寸法が若干（貼り合わせ分）だけ短くされた内袋２Ｂとを用意する。外袋２Ａには、予め計画した位置に、孔２ａが形成され、この孔２ａに対して逆止弁４が設けられている。
【００４７】
その後、外袋２Ａと内袋２Ｂにおける、図１に示す内袋２Ｂの両端幅方向の縁部に設けられた貼着部Ｐ１と、外袋２Ａの該内袋２Ｂを中央に位置させて該内袋２Ｂの貼着部Ｐ１に対応する貼着部Ｐ１と、突き合わせて、この貼着部Ｐ１を熱圧着などの手法により貼り合わせる。
【００４８】
続いて、外袋２Ａと内袋２Ｂとの間に、未だ閉じていない袋体２の長さ方向の一端からネット部材３を挿入する。この後、前記閉じていない袋体２の長さ方向の両端の外袋２Ａと内袋２Ｂとを熱圧着などの手法により貼り合わせて閉じる。
【００４９】
図３（ｂ）に示す手順を説明する。上記の後、内袋２Ｂが内側になるように、袋体２の長さ方向中央位置から折り曲げる。そして、折り曲げた際に突き合わせられる、図１に示す外袋２Ａの幅方向両端同士に形成された貼着部Ｐ２同士を熱圧着などの手法により貼り合わせる。
【００５０】
図３（ｃ）に示す手順を説明する。上記の後、外袋２Ａの、折り曲げ前の長さ方向の両端によって形成された袋体２の挿脱開口１Ａにシール部材１Ｂを例えば熱圧着などの手法により貼り合わせる。このようにして本発明の梱包袋１が完成する。
【００５１】
以上の構成とされた本発明の梱包袋１は、図４のように使用する。なお、図４では、袋体２内の内袋２Ｂ（及び脱気孔２ｂ）とネット部材３の図示を省略している。図４（ａ）に示すように、まず、シール部材１Ｂを開状態として挿脱開口１Ａから物品を袋体２の内部（内袋２Ｂ対向面間）に物品を挿入した後、シール部材１Ｂを閉状態とする。
【００５２】
物品を挿入し、シール部材１Ｂを閉めて、袋体２内を密封した後に、図４（ｂ）に示すように、逆止弁４に脱気ポンプ（掃除機でも構わない）を接続して、袋体２内の空気を抜く（逆止弁４の種類によっては袋体２内の負圧により閉状態となる）。逆止弁４が閉状態となると、袋体２内の脱気は可能であるが、該袋体２内の負圧により外部からの空気の流入が不可となる。
【００５３】
袋体２内の脱気が行われると、図４（ｃ）に示すように、袋体２内の空間が負圧により縮小し、これに伴いネット部材３の線材３Ａも径が縮小してやや硬化する。したがって、ネット部材３が物品の外形により強固に密着し、袋体２内が脱気されるので、物品の移動許容範囲が存在しなくなり、よって物品は袋体２内における位置が固定される。
【００５４】
また、当然のことながら、袋体２は上記のとおり、密閉されたうえ脱気されて、この状態が維持されるので、水、粉塵などが侵入することはない。梱包袋１は、（圧縮硬化した）ネット部材３により剛性を適度に有しつつ衝撃緩衝性に富むので、荷崩れが生じにくく、また、緩衝力に優れる。
【００５５】
従来は、物品の外形に沿った形状に変形可能で、かつ弾性がある粒状部材を袋内を脱気することで移動不可状態としてその梱包姿勢を維持するようにしていた。しかし、外袋内を区画した内袋内に粒状部材を充填してもなお内袋内で粒状部材が自由に移動し、この結果、内袋内で偏在して物品を適正に梱包することができなかった。
【００５６】
従来のものに対して、本発明の梱包袋１は、上記のように、脱気した後の袋体２内においてはネット部材３が偏在することなく物品に密着し、かつ袋体２内に移動する余地がないので、物品を袋体２内の所定位置でネット部材３が密着した状態で、固定的に位置させておくことができる。
【００５７】
さらに、本発明の梱包袋１は、上記のように、線材３Ａにより網目状のネット部材３を構成しているので、該ネット部材３の伸縮が可能となり、小さい物品、あるいは外形に複雑な凹凸がある場合でも、十分に形状に沿って密着させることができ、また、袋体２内の脱気により線材３Ａがやや硬化してその形状を維持するので梱包姿が崩れることがないと共に別途の例えば紐などで袋体２の外側を縛って物品を固定させておくといったことも不要である。
【００５８】
また、本発明の梱包袋１は、袋体２の材料を物品の梱包・輸送目的に応じて上記のように選択することで、梱包姿が崩れることを抑制する一助となる他、用途に応じた適切な物品の梱包が可能となる。また、同様に、ネット部材３の構成および線材３Ａの材料を選択することで、より適切な物品の梱包が可能となる。
【符号の説明】
【００５９】
１  梱包袋
２  袋体
２Ａ  外袋
２Ｂ  内袋
３  ネット部材
３Ａ  線材
４  逆止弁
【図１】
2016097993.tif 000003
【図２】
2016097993.tif 000004
【図３】
2016097993.tif 000005
【図４】
2016097993.tif 000006